(57)【要約】      （修正有）【課題】ねじの見えにくい固定構造を擁する治療器を提供する。【解決手段】プローブ３は内部部品を保護するために、上カバー６（第１カバー部）と下カバー７（第２カバー部）によって構成されている。下カバー７には、凹み部８が設けてあり、凹み部８内で上カバー６と下カバー７とがねじ９にて螺着されている。このように、凹み部８内にねじ９を螺着することで、ねじ９を見えにくくすることができる。この構成において、ねじ９のねじ頭を正面に見た位置を基準とし、プローブ３を所定角度（一例として約１０度）以上傾けると、ねじ９は見えなくなる。凹み部８を最も深くできる位置、つまり、プローブ３の厚みの大きい部分に凹み部８を設けている。このように、凹み部８の深さを深くすることで、ねじ９はより見えにくくなり、その効果はより顕著になる。【選択図】図２
2019130225.tif 000002
【特許請求の範囲】
【請求項１】
内部部品を保護する第１カバー部と、前記第１カバー部と共に内部部品を保護する第２カバー部とを有し、前記第１カバー部と前記第２カバー部とを螺着するねじが前記第１カバー部もしくは前記第２カバー部に設けた凹み部内にある、ことを特徴とする治療器。
【請求項２】
前記ねじのねじ頭を正面に見た位置を基準として、治療器を所定角度以上傾けると、前記ねじが見えなくなる、ことを特徴とする請求項１に記載の治療器。
【請求項３】
前記第１カバー部と前記第２カバー部のいずれか一方に係止部を設け、いずれか他方に被係止部を設けた、ことを特徴とする請求項１または２に記載の治療器。
【請求項４】
前記第２カバー部が接地面に接しないための複数の脚部を有し、前記脚部と前記第２カバー部とを螺着するねじが前記脚部に設けた凹み部内にある、ことを特徴とする請求項１ないし３のいずれか1項に記載の治療器。
【請求項５】
前記第１カバー部と前記第２カバー部と前記脚部とを1本のねじで螺着した、ことを特徴とする請求項４に記載の治療器。
【請求項６】
前記脚部に１または複数の突起部を設け、前記第２カバー部に前記突起部が挿入される被挿入部を設けた、ことを特徴とする請求項４または５に記載の治療器。
【請求項７】
前記脚部の接地面に平行な断面形状が略円形以外の形状であり、前記第２カバー部の前記脚部取付け部が前記脚部の接地面に平行な断面形状と同じ形状である、ことを特徴とする請求項４ないし６のいずれか1項に記載の治療器。
【請求項８】
内部部品を保護する前記第１カバー部と、前記第１カバー部と共に内部部品を保護する前記第２カバー部とを有し、前記第１カバー部もしくは前記第２カバー部に設けた凹み部内において、前記第１カバー部と前記第２カバー部とをねじで螺着する、ことを特徴とするカバーの固定方法。
【発明の詳細な説明】
【技術分野】
【０００１】
本発明は、治療器及びカバーの固定方法に関するものである。
【背景技術】
【０００２】
従来から、レーザ光を利用した治療装置が知られており、特許文献１には、歯科治療において、レーザ光により治療部位を切開するレーザハンドピースが提案されている。このレーザハンドピースは、内部部品を本体外周側からねじにより螺着しており、ねじ頭部が外観に露出した構造となっている。
【先行技術文献】
【特許文献】
【０００３】
【特許文献１】特開２０１４−０６１２１４号公報
【発明の概要】
【発明が解決しようとする課題】
【０００４】
治療器やその周辺機器において、内部部品を保護する目的でカバーが取り付けられるが、その際、カバーを固定するねじが露出し外観を損なうという課題があった。
本発明は、このような課題を解決するためになされたものであり、治療器のカバーを固定するねじの見えにくい固定構造にすることで、ねじの見えにくい外観をもつ治療器の提供を目的とする。また、治療器のカバーを固定するねじの使用本数を削減する構造をもつ治療器の提供を目的とする。
【課題を解決するための手段】
【０００５】
請求項１に係る本発明の治療器は、内部部品を保護する第１カバー部と、前記第１カバー部と共に内部部品を保護する第２カバー部とを有し、前記第１カバー部と前記第２カバー部とを螺着するねじが前記第１カバー部もしくは前記第２カバー部に設けた凹み部内にある、ことを特徴とする。
【０００６】
この構成によれば、内部部品を保護する第１カバー部と第２カバー部とを螺着するねじが、第１カバー部もしくは第２カバー部に設けた凹み部内にあるため、外観ではねじを見えにくくすることができ、デザイン性に優れた治療器を提供することができる。
【０００７】
請求項２に係る治療器は、前記ねじのねじ頭を正面に見た位置を基準として、治療器を所定角度以上傾けると、前記ねじが見えなくなる、ことを特徴とする。
【０００８】
この構成によれば、第１カバー部もしくは第２カバー部に設けた凹み部内にある第１カバー部と第２カバー部とを螺着するねじが、外観では見えていたとしても、そのねじ頭を正面に見た位置を基準として、治療器を所定角度以上傾けると、ねじが見えなくなる。そのため、外観ではねじを見えにくくすることができ、デザイン性に優れた治療器を提供することができる。
【０００９】
請求項３に係る治療器は、前記第１カバー部と前記第２カバー部のいずれか一方に係止部を設け、いずれか他方に被係止部を設けた、ことを特徴とする。
【００１０】
この構成によれば、第１カバー部と第２カバー部に仮固定のための係止部もしくは被係止部を設けることで、本固定のねじの本数を減らすことができ、外観部から見えるねじの本数を減らすことができるため、デザイン性に優れた治療器を提供することができる。また、ねじの使用本数を減らすことで、作業性の向上やコスト削減を図ることができる。
【００１１】
請求項４に係る治療器は、前記第２カバー部が接地面に接しないための複数の脚部を有し、前記脚部と前記第２カバー部とを螺着するねじが前記脚部に設けた凹み部内にある、ことを特徴とする。
【００１２】
この構成によれば、第２カバー部が接地面に接しないための脚部に設けた凹み部内に、脚部と第２カバー部とを螺着するねじがあるため、治療器を置いた際に外観ではねじが見えなくなる、もしくは、見えにくくすることができ、デザイン性に優れた治療器を提供することができる。
【００１３】
請求項５に係る治療器は、前記第１カバー部と前記第２カバー部と前記脚部とを1本のねじで螺着した、ことを特徴とする。
【００１４】
この構成によれば、第１カバー部と第２カバー部と脚部とを1本のねじで１度に固定できるため、組立作業性に優れている。また、最少のねじ本数で固定できるため、コストを削減できる。
【００１５】
請求項６に係る治療器は、前記脚部に１または複数の突起部を設け、前記第２カバー部に前記突起部が挿入される被挿入部を設けた、ことを特徴とする。
【００１６】
この構成によれば、脚部に１ないし複数の突起部を設け、それを第２カバー部の被挿入部に挿入し組み立てることで、突起部を脚部の回転止めとすることができる。これにより、脚部が回転することで発生するねじの緩みを防止できる。
【００１７】
請求項７に係る治療器は、前記脚部の接地面に平行な断面形状が略円形以外の形状であり、前記第２カバー部の前記脚部取付け部が前記脚部の接地面に平行な断面形状と同じ形状である、ことを特徴とする。
【００１８】
この構成によれば、脚部の接地面に平行な断面形状を略楕円形もしくは略多角形にし、第２カバー部の脚部取付け部も脚部の接地面に平行な断面形状と同様の形状にすることで、脚部の回転を防止することができ、脚部が回転することで発生するねじの緩みを防止できる。
【００１９】
請求項８に係るカバーの固定方法は、内部部品を保護する前記第１カバー部と、前記第１カバー部と共に内部部品を保護する前記第２カバー部とを有し、前記第１カバー部もしくは前記第２カバー部に設けた凹み部内において、前記第１カバー部と前記第２カバー部とをねじで螺着する、ことを特徴とする。
【００２０】
この構成によれば、内部部品を保護する第１カバー部もしくは第２カバー部に設けた凹み部内において、第１カバー部と第２カバー部とをねじで螺着するカバーの固定方法によって、外観ではねじを見えにくくすることができ、デザイン性に優れた治療器を提供することができる。
【発明の効果】
【００２１】
本発明によれば、外観ではねじを見えなくする、もしくは、見えにくくすることができるため、デザイン性に優れた治療器を提供することができる。また、カバーを固定する際のねじの使用本数を減らすことができ、最少のねじ本数で固定できるため、組立作業性の向上やコスト削減を図ることができる。
【図面の簡単な説明】
【００２２】
【図１】本発明の実施の形態に係る治療器の斜視図である。
【図２】（ａ）は同プローブの側面図であり、（ｂ）は同プローブの底面図である。
【図３】図２（ｂ）におけるＡ-Ａ矢視の断面図である。
【図４】（ａ）は同プローブの一部切欠き斜視断面図であり、（ｂ）はＢ部分の一部拡大図である。
【図５】同治療のカバー及び脚部の固定部分を示す斜視断面図である。
【図６】本発明の他の実施の形態に係る治療器のカバー及び脚部の固定部分を示す斜視断面図である。
【発明を実施するための形態】
【００２３】
以下、本発明の実施の形態に係る治療器について図面を参照して説明する。
【００２４】
図１は、治療器１の平面図である。図１に示すように、本発明の実施の形態による治療器１は、レーザ治療を実施するため、図示は省略するが、レーザ光発振部、光ファイバ、制御部などが内部に設けられた本体２と、被治療者の治療部位にレーザ照射を行うプローブ３とを主たる構成としている。レーザ光発振部は、半導体レーザ等でなり、レーザ光を発振する。レーザ光発振部から発振されるレーザ光は、光ファイバを通って、プローブ３に導かれる。
【００２５】
治療器１は、本体２の操作部４にて、レーザ治療の治療条件を設定することができ、設定した治療条件にてプローブ３よりレーザを照射し、患部の治療を行う。また、本体２には、接地面と接地しないための複数の脚部５が設けられている。さらに、プローブ３は図１のように本体２の上部へ載置可能となっている。
【００２６】
図２（ａ）は、プローブ３の側面図であり、図２（ｂ）は、プローブ３の上カバー６と下カバー７とを螺着したねじ９のねじ頭を正面に見た位置を基準とした底面図である。図３は、図２（ｂ）におけるＡ-Ａ矢視の断面図であり、プローブ３のねじ螺着構造を示している。プローブ３は内部部品を保護するために、上カバー６（第１カバー部）と下カバー７（第２カバー部）によって構成されている。下カバー７には、凹み部８が設けてあり、凹み部８内で上カバー６と下カバー７とがねじ９にて螺着されている。このように、凹み部８内にねじ９を螺着することで、ねじ９を見えにくくすることができる。
【００２７】
本実施形態では、図２（ｂ）のねじ９のねじ頭を正面に見た位置を基準とし、プローブ３を所定角度（一例として約１０度）以上傾けると、ねじ９は見えなくなる。本実施形態では、図２及び図３に示すように、凹み部８を最も深くできる位置、つまり、プローブ３の上下方向の寸法の大きい部分に凹み部８を設けている。このように、凹み部８の深さを深くすることで、ねじ９はより見えにくくなり、その効果はより顕著になる。また、図示はしていないが、凹み部８に目隠しのためのカバーを設けると完全にねじ９が外観から見えなくなり、デザイン性はさらに向上する。
【００２８】
図４は、プローブ３の内部係止構造を示しており、同図（ｂ）は同図（ａ）のＢの部分を拡大して示している。上カバー６には係止部１０が、下カバー７には被係止部１１がそれぞれ設けられている。プローブ３の内部には、係止部１０と被係止部１１が片側前後１箇所ずつ、それが左側と右側に合計４箇所設けられている。組立時、上カバー６と下カバー７とを合わせ、上カバー６と下カバー７をそれぞれ図４の矢印Ｃ、Ｄ方向にスライドさせることで、係止部１０と被係止部１１が係止され、上カバー６と下カバー７とが仮固定される。その後、ねじ９にて本固定される。本実施形態では、プローブ３の本固定には、ねじ９の１本のみしか使用していない。このように、上カバー６と下カバー７との仮固定に係止部１０と被係止部１１を設けることで、本固定のねじの使用本数を最少にすることができる。
【００２９】
図５は、治療器１のカバー及び脚部の固定構造を示している。治療器１の上カバー１２（第１カバー部）と下カバー１３（第２カバー部）及び脚部５が１本のねじ１４で螺着されている。さらに、ねじ１４は、脚部５に設けられた凹み部１５の内部で螺着されている。上カバー１２、下カバー１３及び脚部５を１本のねじ１４で螺着することにより、組立作業性が向上する。また、ねじ１４を脚部５の凹み部１５内で螺着することにより、治療器１を置いた際にねじ１４が隠れるため、デザイン性の良い治療器を提供できる。なお、本実施形態では、材料の違いにより下カバー１３と脚部５を別部品としたが、一体部品としてもよく、この場合さらに組立作業性が向上する。また、脚部５の下端部に目隠しカバー１６を設けると完全にねじ１４が外観から見えなくなり、デザイン性はさらに向上する。
【００３０】
脚部５の上端部には、突起部１７が設けられており、下カバー１３には、突起部１７が挿入される被挿入部１８が設けられている。上カバー１２、下カバー１３及び脚部５をねじ１４で螺着する際に、突起部１７を被挿入部１８に挿入し組み立てる。一般に、突起部１７及び被挿入部１８がない状態で、接地面に平行な断面形状が略円形の脚部５をねじ１４にて螺着した場合、治療器１の移動や使用を繰り返すことで脚部５に外力が加わり、脚部５がねじ１４の軸方向を中心として回転することで、ねじ１４が緩む現象が発生する。しかし、突起部１７及び被挿入部１８を設け、突起部１７を被挿入部１８に挿入し組み立てると、突起部１７及び被挿入部１８が脚部５の回転止めとなり、ねじ１４の緩みは発生しなくなる。なお、本実施形態では、突起部１７を１つの脚部５に対して２個設けたが、突起部１７の数に制約はなく、それぞれ１個でもよく、３個以上でもよい。
【００３１】
図５の実施形態では、脚部５の接地面に平行な断面形状（脚部断面形状）を略円形としたが、略楕円形もしくは略多角形のような略円形以外の形状にすることで、突起部１７及び被挿入部１８を設けなくても脚部５の回転を防止することができる。その一例として、脚部断面形状を四角形にした場合の治療器のカバー及び脚部の固定構造を図６に示す。この場合、脚部５ａの脚部断面形状を四角形とし、それに合わせ脚部５ａを取付ける下カバー１３ａ側の脚部取付け部１９も四角形にしている。そして、上カバー１２、下カバー１３ａ及び脚部５ａをねじ２０で螺着し、脚部５ａの下端部に目隠しカバー１６ａを設けている。つまり、治療器の使用時に脚部５ａに外力が加わっても、脚部５ａの角部と脚部取付け部１９の角部が干渉することによって、脚部５ａの回転を防止することができる。これによって、図５の突起部１７と被挿入部１８を設けた場合と同様に、ねじ２０の緩みは発生しなくなる。
【００３２】
本発明は、上述の実施形態で説明した治療器に限定されることなく、種々の治療器全般に適用することができる。例えば、低周波治療器や干渉波治療器、マイクロ波治療器、超音波治療器等の物理療法用機器である。
【産業上の利用可能性】
【００３３】
治療器全般の内部部品を保護するためのカバーやその周辺部品の固定構造として適用することができる。
【符号の説明】
【００３４】
１  治療器
２  本体
３  プローブ
４  操作部
５  脚部
６  上カバー
７  下カバー
８  凹み部
９  ねじ
１０  係止部
１１  被係止部
１２  上カバー
１３  下カバー
１４  ねじ
１５  凹み部
１６  目隠しカバー
１７  突起部
１８  被挿入部
１９  脚部取付け部
２０  ねじ
【図１】
2019130225.tif 000003
【図２】
2019130225.tif 000004
【図３】
2019130225.tif 000005
【図４】
2019130225.tif 000006
【図５】
2019130225.tif 000007
【図６】
2019130225.tif 000008